(57)【要約】【課題】外壁材の施工及び止水が容易となる建物の止水構造。【解決手段】バルコニー１８のＡＬＣパネル２４は、下面２４Ａがブラケット４０の支持部４６に当接され、ブラケット４０を介してバルコニー床梁２８、３０に支持されている。また、支持部４６の下側には、ピースプレート６６が接合され、ピースプレート６６の下側に配置された見切り部材６０がピースプレート６６を介してブラケット４０に取り付けられている。これにより、ＡＬＣパネル２４と見切り部材６０との間をシーリング材７４の充填に適した間隔にできて、ＡＬＣパネル２４の取り付けを容易にできると共に、シーリング材７４によってＡＬＣパネル２４と見切り部材６０との間の適正に止水できる。【選択図】図２
2019031864.tif 000002
【特許請求の範囲】
【請求項１】
周囲が止水処理され、建物の外壁において垂れ壁を構成する厚物の外壁材と、
前記外壁材の外面とは反対側下面を梁に支持する支持部材と、
平面が前記外壁材の下面に向けられて前記支持部材に取り付けられ、前記外壁材の下面を覆う見切り部材と、
前記外壁材の外面側において、前記外壁材の下面と前記見切り部材との間に充填された見切り止水部材と、
前記支持部材に取り付けられ、前記支持部材により形成される前記外壁材の下面側の段差を、前記見切り止水部材が充填される前記外壁材の下面と前記見切り部材との間が所定の間隔なるように調整する段差調整部材と、
を備えた建物の止水構造。
【請求項２】
前記支持部材が、前記外壁材の下面に当接される平板部を備え、
前記平板部の下面に前記段差調整部材が接合されると共に、前記段差調整部材を介して前記見切り部材が前記平板部に取り付けられた請求項１に記載の建物の止水構造。
【請求項３】
不定形の止水材料が用いられ、前記外壁材の外面側において隣接する前記外壁材の間の目地に充填されると共に、前記見切り止水部材に連続された第１の止水部材と、
前記目地において前記第１の止水部材の前記外壁材の外面とは反対側に装着された第２の止水部材と、
を備えた請求項１又は請求項２に記載の建物の止水構造。
【請求項４】
前記第２の止水部材には、定形の止水材料が用いられている請求項３に記載の建物の止水構造。
【請求項５】
前記見切り部材の前記外壁材側の面において、前記第２の止水部材の下側から前記外壁材の外面とは反対側かつ下側に向けた排水流路を形成する流路形成部が設けられている請求項３又は請求項４に記載の建物の止水構造。
【発明の詳細な説明】
【技術分野】
【０００１】
本発明は、建物の止水構造に係り、詳細には、建物本体から持ち出されたベランダなどに垂れ壁が設けられた建物の止水構造に関する。
【背景技術】
【０００２】
特許文献１の建物の止水構造では、各々が外壁面材の幅方向に長尺とされた縦板部と横板部とによりＬ状に形成された壁支持部材が設けられており、外壁面材の下部が壁支持部材に支持されている。また、外壁面材と壁支持部材との間には、略Ｌ字状に形成されかつ外壁面材の幅方向に延びた止水部材が止水役物として設けられており、この止水部材が外壁面材の下面に当接されている。また、外壁面材の下端面からバルコニー底板の間が、壁下水切り部材により覆われており、壁下水切り部材が止水部材に取り付けられている。
【０００３】
ここで、外壁面材には、中空部が形成されており、止水部材には、外壁面材の中空部の下方に排水孔が形成され、壁下水切り部材には、バルコニー底板よりも下方に排水溝が形成されている。これにより、特許文献１の建物の止水構造では、外壁面材の中空部に浸入して中空部を流下した水が、止水部材の排水孔から壁下水切り部材内に排水され、さらに、壁下水切り部材の排水孔からバルコニー底板の下方に排水される。
【先行技術文献】
【特許文献】
【０００４】
【特許文献１】特開２０１５−０９４１４３号公報
【発明の概要】
【発明が解決しようとする課題】
【０００５】
ところで、建物の画壁を形成する外壁材には、厚物と呼ばれる（厚さが７５ｍｍ以上）の外壁材がある。厚物の外壁材は、厚さが７５ｍｍ以上であり、厚物の外壁材には、厚さが１００ｍｍ以上のＡＬＣパネル（外壁用ＡＬＣパネル）などがある。ＡＬＣパネルは、ＡＬＣ（軽量気泡コンクリート）が外壁用として設計及び補強されており、軽量で断熱性、耐火性に優れている。また、ＡＬＣパネルには、中空部が形成されていない所謂中実とされており、ＡＬＣパネルは、表面（屋外側の面）、側面、上面及び下面について内部への雨水等の浸入を防止する止水処理がなされている。
【０００６】
ここで、建物においては、ＡＬＣパネルのように内部に中空部が設けられていない中実の厚物の外壁材を用いた場合においても、施工コストの抑制及び施工の簡略化が望まれている。
【０００７】
本発明は上記事実を鑑みてなされたものであり、垂れ壁を形成するＡＬＣパネルなどの厚物の外壁材の支持及び止水が容易な建物の止水構造の提供を目的とする。
【課題を解決するための手段】
【０００８】
本発明の第１の態様は、周囲が止水処理され、建物の外壁において垂れ壁を構成する厚物の外壁材と、前記外壁材の外面とは反対側下面を梁に支持する支持部材と、平面が前記外壁材の下面に向けられて前記支持部材に取り付けられ、前記外壁材の下面を覆う見切り部材と、前記外壁材の外面側において、前記外壁材の下面と前記見切り部材との間に充填された見切り止水部材と、前記支持部材に取り付けられ、前記支持部材により形成される前記外壁材の下面側の段差を、前記見切り止水部材が充填される前記外壁材の下面と前記見切り部材との間が所定の間隔なるように調整する段差調整部材と、を備えている。
【０００９】
第１の態様では、厚物の外壁材を用いて垂れ壁を形成する際に、支持部材によって外壁材の下面を梁に支持すると共に、支持部材に取り付けた見切り部材によって外壁材の下面を覆っている。また、外壁材の下面に対向する見切り部材の面が平面とされており、外壁材の下面と見切り部材（平面）との間には、見切り止水部材が充填されている。
【００１０】
外壁材の下面と見切り部材との間に見切り止水部材を充填するためには、外壁材の下面と見切り部材との間を見切り止水部材の充填に適した間隔とする必要があるが、外壁材の下面と見切り部材との間に支持部材があると、外壁材の下面に支持部材による段差が生じ、外壁材の下面と見切り部材との間隔を適正な間隔にできなくなる。
【００１１】
ここで、第１の態様では、外壁材と支持部材との間又は支持部材と見切り部材との間に、段差調整部材を配置して、支持部材に取り付けた見切り部材と外壁材の下面との間隔を、見切り止水部材の充填に適した間隔にする。これにより、間隔調整部材を設ける簡単な構成で、容易に外壁材と見切り部材との間を所定の間隔（水切り止水部材の充填に適した間隔）にして、見切り部材を取り付けることができる。
【００１２】
なお、厚物の外壁材は、厚さが所定厚さ以上（少なくとも７５ｍｍ以上、好ましくは、１００ｍｍ以上）であり、内部に中空層を有していない所謂中実の外壁材である。また、厚物の外壁材は、少なくとも屋内側を除く各面（屋外側の面、上端面、下端面及び両側の側面）が止水処理されて、内部への雨水等の浸入が防止されている。このような外壁材としては、ＡＬＣ（Autoclaved  Lightweight  aerated  Concrete：軽量気泡コンクリート）を適用できる。
【００１３】
第２の態様は、第１の態様において、前記支持部材が、前記外壁材の下面に当接される平板部を備え、前記平板部の下面に前記段差調整部材が接合されると共に、前記段差調整部材を介して前記見切り部材が前記平板部に取り付けられている。
【００１４】
第２の態様では、支持部材に平板部が設けられ、平板部が外壁材の下面が当接されている。支持部材の平板部には、外壁材とは反対側の面に段差調整部材が取り付けられており、この段差調整部材を介して見切り部材が取り付けられる。このため、支持板部と段差調整部材との厚さを予め定めた厚さとなるようにして、平板部に段差調整部材を取り付けておくことで、見切り部材の取り付け及び見切り止水部材の充填が容易となる。
【００１５】
第３の態様は、第１の態様又は第２の態様において、不定形の止水材料が用いられ、前記外壁材の外面側において隣接する前記外壁材の間の目地に充填されると共に、前記見切り止水部材に連続された第１の止水部材と、前記目地において前記第１の止水部材の前記外壁材の外面とは反対側に装着された第２の止水部材と、を備える。
【００１６】
第３の態様では、垂れ壁が複数の外壁材を配置して形成されており、見切り部材は、複数の外壁材に跨って取り付けられている。また、互いに隣接する外壁材の間に形成される目地には、不定形の止水材料を用いた第１の止水部材が充填され、第１の止水部材は、目地の下端部において見切り止水部材に連続されている。これにより、外壁材の間の目地を止水できる。
【００１７】
また、外壁材の間の目地には、第１の止水部材よりも内側に第２の止水部材が挿入されている。これにより、第１の止水部材の止水性能が低下しても、第２の止水部材により目地を確実に止水できる。
【００１８】
第４の態様では、第３の態様において、前記第２の止水部材には、定形の止水材料が用いられている。
【００１９】
第４の態様では、第２の止水部材として定形の止水材料を用いており、第２の止水部材が第１の止水部材の内側（屋内側）に装着される。これにより、第１の止水部材として不定形の止水材料を用いる際に、第２の止水部材を第１の止水部材のバックアップ材として用いることができて、第１の止水部材の充填が容易になる。
【００２０】
第５の態様は、第３の態様又は第４の態様において、前記見切り部材の前記外壁材側の面において、前記第２の止水部材の下側から前記外壁材の外面とは反対側かつ下側に向けた排水流路を形成する流路形成部が設けられている。
【００２１】
第５の態様では、外壁材の下面と見切り部材との間に流路形成部が設けられている。流路形成部は、見切り止水部材よりも外壁材の外面とは反対側（外壁材の内面側）において、第２の止水部材の下方から外壁材の外面とは反対側かつ下側に向けて雨水等を案内する。
【００２２】
これにより、見切り止水部材を越えて浸入した雨水等は勿論、第２の止水部材によって止水された雨水等を排水できる。また、雨水等が見切り部材の外壁材の外面とは反対側に排水されるので、排水される雨水等が見切り部材の外壁材の外面側や外壁材の下側の面の美観（見た目）等を損ねるのを抑制できる。
【発明の効果】
【００２３】
以上説明したように本発明の第１の態様によれば、垂れ壁を形成する外壁材の支持及び止水が容易になる、と言う効果が得られる。
【００２４】
第２の態様によれば、見切り部材の取り付け及び見切り止水部材の充填が容易となる、という効果が得られる。
【００２５】
第３の態様によれば、外壁材の間の目地を確実に止水できる、という効果が得られる。
【００２６】
第４の態様によれば、第１の止水部材の充填が容易となる、という効果が得られる。
【００２７】
第５の態様によれば、見切り止水部材を越えた雨水等及び第２の止水部材により止水された雨水等を容易に排水できる、という効果が得られる。
【図面の簡単な説明】
【００２８】
【図１】本実施の形態に係る建物の概略を示す斜視図である。
【図２】図１の２−２線に沿ったバルコニーの主要部の断面図である。
【図３】図２の主要部を拡大した断面図である。
【図４】図１の４−４線に沿ったバルコニーの主要部の断面図である。
【発明を実施するための形態】
【００２９】
以下に図面を参照しながら本発明の実施の形態を詳細に説明する。
図１には、本実施の形態に係る建物１０の概略が斜視図にて示されている。建物１０は、２階建てとされており、基礎１２上に下階（１階部分）と上階（２階部分）とが形成された建物本体１４が設置され、建物本体１４の上側に屋根１６が設置されている。本実施の形態に係る建物１０は、建物本体１４の躯体が鉄骨軸組構造とされており、建物本体１４は、躯体の周囲が外壁材によって囲われている。なお、建物１０は、鉄骨軸組構造に限らず、各々が鉄骨によって枠組みされた複数の建物用ユニットを縦横に配列して鉄骨ラーメン構造の躯体が形成されたユニット式の建物（ユニット住宅）であってもよく、躯体が鉄骨軸組構造及び鉄骨ラーメン構造以外の構造であってもよい。また、屋根１６は、勾配屋根であってもよく、陸屋根であってもよく、混合屋根等であってもよい。
【００３０】
建物１０には、建物本体１４から屋外側に張り出された張出部としてのキャンチバルコニー（カンティレバーバルコニー、以下、バルコニーという）１８が形成されている。バルコニー１８は、建物本体１４の２階部分において外壁部から突設されている。バルコニー１８は、建物本体１４から水平方向に突出された床部２０、及び床部２０の周囲に立設された腰壁部２２によって構成されており、バルコニー１８は、床部２０上の空間が腰壁部２２によって囲われている。
【００３１】
バルコニー１８には、厚物の外壁材としてＡＬＣパネル２４が用いられており、ＡＬＣパネル２４が腰壁部２２の外側の面に取り付けられて、腰壁部２２の下端部に垂れ壁が形成されている。図２から図４には、バルコニー１８の主要部が断面図にて示されている。詳細には、図２が図１の２−２線に沿った断面図とされ、図３が図２の主要部の拡大図とされており、図４が図１の４−４線に沿った断面図とされている。
【００３２】
建物本体１４には、外壁材としてＡＬＣパネル（図示省略）が設けられており、バルコニー１８のＡＬＣパネル２４は、長さを除いた基本的構成が建物本体１４のＡＬＣパネルと同様となっている。建物本体１４に用いられるＡＬＣパネルは、長さが建物１０の階高にあわせた長さとなっており、建物本体１４は、複数のＡＬＣパネルが水平方向に配列されると共に、上下２段に配列されて取り付けられている。
【００３３】
ＡＬＣパネルは、軽量気泡コンクリート（ＡＬＣ）が外壁材として補強材により補強されると共に表面等が仕上げられている（裏面を除く全面が止水処理されて仕上げられている）。ＡＬＣパネルは、内部に中空層（中空部）が形成されていない所謂中実かつ厚物の外壁材とされている。本実施の形態では、バルコニー１８のＡＬＣパネル２４として、幅寸法が約５００ｍｍ、厚さが１００ｍｍのＡＬＣパネルを用いている。また、ＡＬＣパネル２４の長さ（高さ）は、バルコニー１８の腰壁部２２の高さに基づいた長さになっている。これにより、バルコニー１８の腰壁部２２には、複数のＡＬＣパネル２４が水平方向に配列されて取り付けられている。なお、互いに隣接するＡＬＣパネル２４の間には、目地２６が形成されており、本実施の形態では、目地２６の幅（ＡＬＣパネル２４の隙間）を１０ｍｍとしており、ＡＬＣパネル２４の幅寸法を４９０ｍｍとして、目地２６が５００ｍｍの間隔（中心間隔）で形成されるようにしている。これらのＡＬＣパネル２４のサイズは一例を示すものである。
【００３４】
図２に示すように、バルコニー１８の床部２０には、梁としてのバルコニー床梁２８、３０が設けられており。バルコニー床梁２８、３０には、Ｈ形鋼が用いられている。バルコニー床梁２８は、建物本体１４の図示しない梁（床梁又は天井梁）に一端が連結されて支持された張出梁とされており、床部２０には、複数（図２では、１本のみを図示）のバルコニー床梁２８が互いに平行とされて配置されている。また、バルコニー床梁３０は、複数のバルコニー床梁２８の先端に架け渡されて連結された連結梁とされている。バルコニー１８では、腰壁部２２の下方にバルコニー床梁２８又はバルコニー床梁３０が配置されている。
【００３５】
床部２０には、床下地としてのＡＬＣ（床用の軽量気泡コンクリート）床３２が用いられており、ＡＬＣ床３２がバルコニー床梁２８、３０の上面（フランジ部の上面）に取り付けられている。また、ＡＬＣ床３２上には、発泡ポリスチレン等からなる床断熱材３４が敷設されており、床断熱材３４上には、図示しない防水板が敷設されて、バルコニー１８の床が形成されている。
【００３６】
腰壁部２２には、バルコニー１８外側にＡＬＣパネル２４が配置され、ＡＬＣパネル２４のバルコニー１８内側に内側壁面材３６が配置されている。内側壁面材３６には、窯業系サイディング等が用いられている。なお、ＡＬＣパネル２４と内側壁面材３６との間には、図示しない壁フレームが設けられており、ＡＬＣパネル２４及び内側壁面材３６が壁フレームに取り付けられている。
【００３７】
腰壁部２２の上端部には、笠木３８（図１参照）が設けられており、笠木３８がＡＬＣパネル２４の上端と内側壁面材３６の上端との間に跨って取り付けられている。笠木３８とＡＬＣパネル２４及び内側壁面材３６との隙間には、図示しない止水シールによる止水処理が施されて、笠木３８及び止水シールが腰壁部２２の内部に雨水等が入り込むのを防止（止水）している。
【００３８】
また、腰壁部２２の内側壁面材３６は、下端部が床部２０の上面（床面）に当接されており、バルコニー１８は、内側壁面材３６と床部２０との間に防水シート等を用いた防水処理がなされており、床部２０及び腰壁部２２内への雨水等の浸入が防止されている。
【００３９】
一方、図２及び図３に示すように、ＡＬＣパネル２４の下端部には、支持部材としての鋼材製で略帯板状のブラケット４０が設けられており、ブラケット４０は、ＡＬＣパネル２４ごとに設けられている。ブラケット４０は、長手方向の中間部が取付部４２とされており、取付部４２の長手方向の一端側が略直角に折曲されて固定部４４が形成されている。また、ブラケット４０には、平板部としての支持部４６が設けられており、支持部４６は、取付部４２の長手方向の他端側から固定部４４とは反対方向に折曲されて形成されている。ブラケット４０は、取付部４２、固定部４４及び支持部４６により略Ｚ形状に形成されている。ブラケット４０の取付部４２には、円形の取付孔４２Ａが穿孔されており、固定部４４には、円形の固定孔４４Ａが穿孔されている。
【００４０】
ブラケット４０は、ＡＬＣパネル２４の幅方向の中間部に対応する位置において、取付部４２の長手方向が上下方向とされると共に、固定部４４が上側とされて、かつ、支持部４６が、バルコニー１８外側に向けられてバルコニー床梁２８、３０の下側に配置されている。なお、図２及び図３では、バルコニー床梁３０に配置されるブラケット４０を示し、バルコニー床梁２８に配置されるブラケット４０の図示を省略している。
【００４１】
バルコニー床梁２８、３０には、下側のフランジ２８Ａ、３０Ａのバルコニー１８外側部分に図示しない貫通孔が穿孔されている。バルコニー床梁３０では、フランジ２８Ａ、３０Ａの貫通孔に挿通されたボルト４０Ａが、固定部４４の固定孔４４Ａに挿通されており、このボルト４０Ａにナット４０Ｂが螺合されて、ブラケット４０が締結固定されている。腰壁部２２の下方のバルコニー床梁２８においては，バルコニー床梁３０と同様にされてブラケット４０が締結固定されている。
【００４２】
これにより、ブラケット４０は、バルコニー床梁２８、３０の各々の下方かつバルコニー床梁２８、３０よりバルコニー１８外側において、取付部４２が、ＡＬＣパネル２４の内側面に対向されている。また、ブラケット４０は、支持部４６がバルコニー床梁２８、３０よりバルコニー１８外側に突出されてＡＬＣパネル２４の下面２４Ａに対向されている。ＡＬＣパネル２４は、下面２４Ａがブラケット４０の支持部４６上面に当接されて、ブラケット４０を介してバルコニー床梁２８、３０に支持されている。また、ＡＬＣパネル２４は、下端部側の内側面がブラケット４０の取付部４２に当接され、座金４８Ａ及び取付部４２の取付孔４２Ａに挿通された取付ボルト４８Ｂが螺合されることにより、ブラケット４０に取り付けられている。
【００４３】
これにより、ＡＬＣパネル２４は、幅方向の中間部の１箇所（１点）において下面２４Ａがブラケット４０の支持部４６に支持されて、ブラケット４０を介してバルコニー床梁２８又はバルコニー床梁３０に支持されている。なお、取付ボルト４８Ｂとしては、ＡＬＣパネル２４に螺合固定されるものであればよく、オールアンカ、トルコンアンカなどに用いるボルトであってもよい。
【００４４】
一方、図１に示すように、互いに隣接して配置されるＡＬＣパネル２４の間には、目地２６が形成されており、目地２６は、水平方向に隣接するＡＬＣパネル２４の間で上下方向に延在された縦目地とされている。目地２６は、止水処理されており、以下に目地２６の止水処理を説明する。
【００４５】
図４に示すように、目地２６には、ＡＬＣパネル２４の幅方向の中間部となる位置に耐火目地材５０が詰められている。これにより、互いに隣接するＡＬＣパネル２４の間の隙間（目地２６）が、耐火目地材５０によって緊密に閉塞されて、バルコニー１８の腰壁部２２が耐火壁とされている。なお、バルコニー１８の腰壁部２２に耐火構造が要求されない場合には、耐火目地材５０が省略されてもよい。
【００４６】
目地２６には、第１の止水部材としての不定形の止水材料が用いられたシーリング材５２、及び第２の止水部材としての定形の止水材料（ガスケット）が用いられたシールバッカー５４が配置されている。シールバッカー５４は、目地２６において耐火目地材５０のバルコニー１８外側となる位置に装着されている。また、シーリング材５２は、目地２６においてシールバッカー５４のバルコニー１８外側に充填されている。目地２６の幅（ＡＬＣパネル２４の間隔）は、シーリング材５２が適正なシール性（止水性）が得られる寸法（本実施の形態では、約１０ｍｍ）とされている。
【００４７】
シールバッカー５４は、長尺の基体５４Ａから複数対のリブ５４Ｂが突設されており、リブ５４Ｂは、基体５４Ａの長手方向に延伸されている。また、シールバッカー５４は、基体５４Ａ及びリブ５４Ｂの各々が弾性変形可能とされている。
【００４８】
シールバッカー５４は、基体５４Ａの長手方向が目地２６の目地方向（溝方向）とされて、ＡＬＣパネル２４の間（目地２６内）に装着されている。これにより、シールバッカー５４は、リブ５４Ｂが弾性変形されて目地２６内に配置され、リブ５４Ｂが弾性力によってＡＬＣパネル２４の表面に緊密に接して、目地２６内においてシーリング材５２のバルコニー１８内側を止水している。また、目地２６内においてシールバッカー５４の基体５４Ａ及びリブ５４Ｂの表面に水滴（雨水）等が付着した場合に、付着した雨水等が基体５４Ａ及びリブ５４Ｂの表面に沿って流下可能とされている。
【００４９】
また、シーリング材５２は、目地２６内においてシールバッカー５４のバルコニー１８外側に充填されており、目地２６がシーリング材５２によって目地埋めされている。また、定形のシールバッカー５４は、シーリング材５２の充填時にバックアップ材として用いられている。これにより、目地２６では、ＡＬＣパネル２４の間においてシーリング材５２が二面接触されて充填されている。
【００５０】
バルコニー１８の腰壁部２２には、シーリング材５２によって目地２６への雨水等の浸入を防止する止水ライン（一次止水ライン）５６が形成され、シールバッカー５４によって一次止水ライン５６のバルコニー１８内側に止水ライン（二次止水ライン）５８が形成されている。本実施の形態では、一次止水ライン５６をシーリング材５２のバルコニー１８内側端部とし、二次止水ライン５８をシールバッカー５４のバルコニー１８内側端部としている。
【００５１】
二次止水ライン５８を形成するシールバッカー５４は、一次止水ライン５６（シーリング材５２）を越えて浸入した雨水等を止水する。また、目地２６のシールバッカー５４は、定形の止水材料が用いられていることで、一次止水ライン５６を越えて浸入した雨水等を二次止水ライン５８の手前（外側）で排水可能とする排水経路を形成している。
【００５２】
一方、図２及び図３に示すように、ＡＬＣパネル２４の下側には、見切り部材及び化粧部材としての見切り部材６０が配置されている。見切り部材６０は、アルミニウム製とされ、押出成形によって長尺に形成されている。見切り部材６０は、長手方向が腰壁部２２の長手方向（ＡＬＣパネル２４の幅方向）とされて、腰壁部２２の長手方向に延伸されており、見切り部材６０は、複数のＡＬＣパネル２４に跨って配置されている。
【００５３】
見切り部材６０は、帯板状の基板部６２を備えており、基板部６２は、一方の面が平面とされ、他方の面に矩形筒体状の箱部６４が対で形成されている。一対の箱部６４は、一方の箱部６４Ａが基板部６２の幅方向一側に配置され、他方の箱部６４Ｂが基板部６２の幅方向の他側に配置されており、箱部６４Ａ、６４Ｂは、所定の間隔を隔てて基板部６２の長手方向に延伸されている。
【００５４】
見切り部材６０には、流路形成部を構成する円孔の排水孔６０Ａ、６０Ｂが形成されている。排水孔６０Ａは、基板部６２の箱部６４Ｂ側に穿孔されており、排水孔６０Ｂは、箱部６４Ｂの箱部６４Ａとは反対側の面において、基板部６２とは反対側となる位置に穿孔されている。
【００５５】
ブラケット４０の支持部４６には、段差調整部材としてピースプレート６６が配置されている。ピースプレート６６は、金属製の矩形平板状に形成されており、ピースプレート６６の厚さ（板厚）は、ブラケット４０の支持部４６と重ねた状態における厚さが所定の厚さ（本実施の形態では、１０ｍｍ）となるように定められている。また、ピースプレート６６は、予め溶接等によってブラケット４０の支持部４６に接合されている。なお、ピースプレート６６は、外形形状が矩形状に限らず、円形等の他の形状であってもよい。
【００５６】
見切り部材６０は、箱部６４（６４Ａ、６４Ｂ）側が下側とされると共に、箱部６４Ａがバルコニー１８外側とされ、ＡＬＣパネル２４の下面２４Ａの下方かつブラケット４０の支持部４６の下側に配置されている。また、見切り部材６０は、幅方向の中間部において基板部６２がピースプレート６６に当接されており、見切り部材６０は、箱部６４Ａ、６４Ｂの間において基板部６２にスクリューねじ６８が螺合されている。見切り部材６０は、基板部６２に螺合されたスクリューねじ６８がピースプレート６６、ブラケット４０の支持部４６及びＡＬＣパネル２４の下端部に螺合されることによりブラケット４０に取り付けられている。
【００５７】
これにより、見切り部材６０は、バルコニー１８の腰壁部２２の長手方向に所定の間隔（ブラケット４０の配置間隔）でバルコニー床梁２８、３０に支持されている。また、見切り部材６０は、基板部６２とＡＬＣパネル２４の下面２４Ａとの間隔が、ブラケット４０の支持部４６及びピースプレート６６の厚さを合わせた間隔とされて、ＡＬＣパネル２４の下面２４Ａを覆っている。また、見切り部材６０は、バルコニー１８外側の面の位置が、ＡＬＣパネル２４の外側の面に合わせられており、見切り部材６０のバルコニー１８内側は、ＡＬＣパネル２４の内側面よりも床部２０側に突出されている。
【００５８】
バルコニー１８の床部２０には、バルコニー１８の下側にバルコニー底板７０が配置されている。床部２０には、バルコニー床梁２８、３０の下側に野縁などの下地材を用いた図示しない底板下地が形成されており、バルコニー底板７０が底板下地に取り付けられている。また、バルコニー底板７０は、腰壁部２２側の周縁部が見切り部材６０の基板部６２上に載せられている。これにより、バルコニー１８は、下方視において床部２０がバルコニー底板７０によって被われ、バルコニー底板７０の周縁部が見切り部材６０によって囲われている。
【００５９】
一方、ＡＬＣパネル２４の下面２４Ａと見切り部材６０の基板部６２との間には、流路形成部を構成すると共にバックアップ部材としての丸バッカー７２が設けられている。丸バッカー７２には、長尺かつ断面略円形で弾性変形可能なバックアップ材料が用いられており、丸バッカー７２は、ＡＬＣパネル２４と見切り部材６０との間において、目地２６のシールバッカー５４（図４参照）の下側となる位置に挿入されている。
【００６０】
また、ＡＬＣパネル２４と見切り部材６０との間には、見切り止水部材としてのシーリング材７４が充填されている。シーリング材７４には、シーリング材５２と同様の不定形の止水材料が用いられており、シーリング材７４は、丸バッカー７２のバルコニー１８外側において、丸バッカー７２をバックアップ材とされて充填されている。また、シーリング材７４は、ＡＬＣパネル２４の幅方向（腰壁部２２の長手方向）に連続され、かつ目地２６のシーリング材５２と連続されて充填されている。
【００６１】
これにより、シーリング材７４が、シーリング材５２と共に、ＡＬＣパネル２４の間の目地２６及びＡＬＣパネル２４と見切り部材６０との間を止水している（一次止水ライン５６を形成している）。また、ＡＬＣパネル２４の下面２４Ａと見切り部材６０との間には、丸バッカー７２からピースプレート６６の間を通って排水孔６０Ａに達すると共に、排水孔６０Ａから箱部６４Ｂ内を経て、バルコニー底板７０の下方の排水孔６０Ｂに至る排水流路が形成されている。
【００６２】
このように構成されている建物１０のバルコニー１８では、腰壁部２２にＡＬＣパネル２４が用いられており、ＡＬＣパネル２４によって垂れ壁が形成されている。ＡＬＣパネル２４は、下面２４Ａがブラケット４０の支持部４６に当接されて、取付ボルト４８Ｂによってブラケット４０の取付部４２に固定されている。これにより、バルコニー１８の腰壁部２２では、複数のＡＬＣパネル２４の各々は、幅方向の中間位置の１箇所（略一点）において下面２４Ａがブラケット４０を介してバルコニー床梁２８、３０に支持されており、ＡＬＣパネル２４を支持するための構成が簡単にされている。
【００６３】
ＡＬＣパネル２４の下側には、見切り部材６０が配置されており、バルコニー１８は、ＡＬＣパネル２４の下面２４Ａが見切り部材６０によって覆われ、下側のバルコニー底板７０の周囲が見切り部材６０によって囲われている。このため、バルコニー１８では、見切り部材６０によって腰壁部２２の下端及びバルコニー底板７０の周囲の美観（意匠性）が向上されている。しかも、建物１０では、バルコニー１８の施工コストを抑制できると共に、高品質のバルコニー１８を形成できる。
【００６４】
ところで、バルコニー１８の腰壁部２２では、ＡＬＣパネル２４の間の目地２６にシールバッカー５４が充填されると共に、シールバッカー５４をバックアップ材としてシーリング材５２が充填されている。このため、目地２６へのシーリング材５２の充填が容易となっていると共に、シーリング材５２を二面接触で目地２６に充填できる。これにより、バルコニー１８では、ＡＬＣパネル２４の目地２６を長期に渡って止水できる。
【００６５】
また、目地２６では、シーリング材５２によって一次止水ライン５６が形成され、シールバッカー５４によって二次止水ライン５８が形成されている。これにより、シーリング材５２（一次止水ライン５６）によって止水された雨水等は、シーリング材５２を伝って流下する。また、仮にシーリング材５２の止水性能が低下して雨水等がシーリング材５２を越えて浸み込んでも、この雨水等をシールバッカー５４によって止水できると共に、シールバッカー５４を伝わせて雨水等を流下させることができる。
【００６６】
ＡＬＣパネル２４と見切り部材６０との間には、シールバッカー５４の下側となる位置に丸バッカー７２が充填されている。また、ＡＬＣパネル２４と見切り部材６０との間には、丸バッカー７２がバックアップ材にされてシーリング材７４が充填されており、シーリング材７４が目地２６の下側においてシーリング材５２と連続されている。このため、バルコニー１８では、ＡＬＣパネル２４と見切り部材６０との間に下側から吹き上げられる雨水等をシーリング材７４によって止水できる。また、目地２６のシーリング材５２を伝って流下された雨水等をシーリング材７４によって止水できる。
【００６７】
さらに、シールバッカー５４によって止水されて二次止水ライン（シールバッカー５４）５８を流下された雨水等は、丸バッカー７２の周囲に形成された隙間から見切り部材６０の基板部６２上（ＡＬＣパネル２４と見切り部材６０との間）に流れる。
【００６８】
ここで、見切り部材６０の基板部６２は、ＡＬＣパネル２４側が平面とされて、箱部６４Ｂ側に排水孔６０Ａが設けられていると共に、箱部６４Ｂに排水孔６０Ｂが設けられている。このため、二次止水ライン５８を流下した雨水等やシーリング材７４を越えてＡＬＣパネル２４の下側に浸入した雨水等は、基板部６２の上面から箱部６４Ｂ内を経て、バルコニー底板７０の下側に排水される。これにより、一次止水ライン５６を越えた雨水等を確実に排水できると共に、排水される雨水等がバルコニー１８の美観や品質を損ねてしまうのを防止できる。即ち、シーリング材５２、７４によって形成された一次止水ライン５６を越えた雨水等が、見切り部材６０のバルコニー１８外側の面に付着すると、見切り部材６０の表面の汚れを促進してしまうことがある。これに対して、一次止水ライン５６を越えた雨水等は、見切り部材６０のバルコニー底板７０側に排水されるので、見切り部材６０の表面が汚れるのを抑制できて、バルコニー１８及びバルコニー１８に設けた見切り部材６０の美観が損ねられるのを抑制できる。
【００６９】
一方、ＡＬＣパネル２４の下面２４Ａを支持するブラケット４０の支持部４６には、ピースプレート６６が設けられており、ピースプレート６６は、予め支持部４６に溶接等により接合されている。見切り部材６０は、ピースプレート６６に当接されてブラケット４０等に取り付けられている。
【００７０】
ピースプレート６６の板厚（厚さ）は、支持部４６の厚さをあわせた際に、シーリング材７４の充填に適した厚さとなるように形成されている。このため、ＡＬＣパネル２４の下面２４Ａにおいて支持部４６が形成する段差（段差の高さ）が調整され、見切り部材６０は、上面とＡＬＣパネル２４の下面２４Ａとの間隔がシーリング材７４の充填に適した間隔とされてブラケット４０に取り付けられている。これにより、ＡＬＣパネル２４と見切り部材６０との間をシーリング材７４によって適正に止水可能になっている。しかも、ピースプレート６６が予めブラケット４０の支持部４６に接合されているので、ブラケット４０の取り付け及び見切り部材６０の取り付けの際に、ピースプレート６６の取り付け作業を不要にできて、施工コストの上昇を抑制できる。
【００７１】
このように建物１０のバルコニー１８では、ＡＬＣパネル２４及び見切り部材６０の取り付けが容易であると共に、見切り部材６０によって美観を向上できる。また、バルコニー１８では、ＡＬＣパネル２４の間の目地２６及びＡＬＣパネル２４と見切り部材６０との間をシーリング材５２、７４によって適正に止水できると共に、シーリング材５２、７４を越えて雨水等が浸入してしまった場合にも、浸入した雨水等を適正に排水することができる。
【００７２】
なお、以上説明した本実施の形態では、ブラケット４０の支持部４６の上面にＡＬＣパネル２４の下面２４Ａを支持すると共にブラケット４０の支持部４６と見切り部材６９０との間に段差調整部材としてのピースプレート６６を設けた。しかしながら、段差調整部材は、ブラケット４０の支持部４６の上側（ＡＬＣパネル２４側）に配置し、見切り部材６０を支持部４６の下側に固定するようにしてもよい。
【００７３】
また、段差調整部材としては、ロッキングスペーサ（ロッキングプレート）であってもよい。この場合、ロッキングスペーサをブラケット４０の支持部４６の上側（ＡＬＣパネル２４側）に配置し、ロッキングスペーサを介してＡＬＣパネル２４の下面２４Ａを支持する。これと共に、見切り部材６０は、支持部４６に当接させて取り付ける。この際、支持部４６をロッキングスペーサに比して広幅にして、支持部４６においてロッキングスペーサを外れた位置で、支持部４６のみに見切り部材６０を固定することが好ましい。これにより、長さが建物１０の階高に合わせた長尺のＡＬＣパネルであっても支持できる。
【００７４】
また、本実施の形態では、厚物の外壁材としてＡＬＣパネル２４を適用した。しかしながら、本発明に適用される外壁材は、所謂厚物の外壁材において、内部に雨水等が浸入する中空部が形成されておらず、かつ周囲（少なくとも屋内側を除く全周）が止水処理され、内部への雨水等の浸入が阻止されている外壁材であればよい。
【００７５】
さらに、本実施の形態では、バルコニー１８を例に説明した。しかしながら、本発明は、バルコニー１８に限らず、ベランダの外壁材の取り付け及び止水に適用しても良く、また、下方が空間とされて建物本体から突き出された上階の居室等の外壁材の取り付け及び止水に適用しても良い。
【符号の説明】
【００７６】
１０    建物
１４    建物本体
１８    バルコニー
２０    床部
２２    腰壁部
２４    ＡＬＣパネル（厚物の外壁材）
２４Ａ    下面
２６    目地
２８、３０    バルコニー床梁（梁）
４０    ブラケット（支持部材）
４６    支持部
５２    シーリング材（第１の止水部材）
５４    シールバッカー（第２の止水部材）
５６    一次止水ライン
５８    二次止水ライン
６０    見切り部材
６０Ａ、６０Ｂ    排水孔（流路形成部）
６２    基板部
６６    ピースプレート（段差調整部材）
７２    丸バッカー（流路形成部）
７４    シーリング材（見切り止水部材）
【図１】
2019031864.tif 000003
【図２】
2019031864.tif 000004
【図３】
2019031864.tif 000005
【図４】
2019031864.tif 000006